(57)【特許請求の範囲】
【請求項１】
仮想光学アレイ素子を介して生成されたホログラムデータを空間光変調器で表示し、表示された前記ホログラムデータが記録された反射型のホログラムスクリーンの製造方法であって、
前記ホログラムスクリーンに光線情報を投影するプロジェクタ装置からの光の入射方向又は正反射方向と、前記仮想光学アレイ素子からの主光線の方向とのなす角を設定するパラメータ設定工程と、
前記なす角に基づいて、所望の位置でホログラムが再生されるように補正情報を算出する補正情報算出工程と、
前記補正情報に応じた前記ホログラムデータを生成するホログラムデータ生成工程と、
記補正情報に応じたホログラムデータを前記空間光変調器に表示させる表示工程と、
前記ホログラムデータが記録されていないホログラムスクリーンに前記空間光変調器が前記補正情報に応じて再生する物体光を照射することで、前記ホログラムデータを記録する記録工程と、
を順に実行し、
前記補正情報算出工程では、前記なす角θｇと、波数ベクトルｋと、前記補正情報が表す補正角θｃと、前記仮想光学アレイ素子の中心から前記ホログラムスクリーンの各画素までの距離ｄとで定義された式（１）及び式（２）を用いて、
θｃ＝θｇ／２  …式（１）
φｐ＝ｋｄ・ｓｉｎθｃ  …式（２）
位相情報φｐを、前記補正情報として算出することを特徴とするホログラムスクリーンの製造方法。
【請求項２】
前記表示工程では、光線再生方式に対応した前記ホログラムデータを前記空間光変調器に表示することを特徴とする請求項１に記載のホログラムスクリーンの製造方法。
【発明の詳細な説明】
【技術分野】
【０００１】
本願発明は、ホログラムデータが記録されたホログラムスクリーンの製造方法に関する。
【背景技術】
【０００２】
立体映像表示技術の１つとして、インテグラルフォトグラフィ(以下、ＩＰ)が知られている。このＩＰは、レンズアレイ、凸型ミラーアレイ、凹型ミラーアレイ等の光学アレイ素子を介して、光線情報で構成された画像(ＩＰ画像)を表示することで立体像を再生する。このとき、光学アレイ素子は、ＩＰ画像の各画素の光を、光学アレイ素子を構成する要素光学素子の焦点距離によって所定の方向に伝搬させる。
【０００３】
従来より、光学アレイ素子の機能をホログラムスクリーン(ＨＯＥスクリーン)に置き換える技術が提案されている（非特許文献１）。この従来技術では、実在するレンズアレイにレーザ光を照射し、透過した光を物体光とみなし、反射型ホログラムとして記録する。この反射型ホログラムスクリーンは、凸型ミラーアレイと同等の機能を有するため、対応する光線情報をプロジェクタ装置で投影することで、ＩＰに相当する立体映像を表示できる。
【先行技術文献】
【非特許文献】
【０００４】
【非特許文献１】Two-dimensional and three-dimensional transparent screens based on lens-array holographic optical elements,K.Hong,et al.,OPTICS EXPRESS,16 June 2014,Vol.22,No12
【発明の概要】
【発明が解決しようとする課題】
【０００５】
前記した従来技術では、物体光の生成に実在する光学アレイ素子を用いるため、要素光学素子のサイズ又は焦点距離、プロジェクタ装置からの光の反射方向といった光学パラメータに制限が生じる。このため、光線情報を投影するプロジェクタ装置又は観測者とホログラムスクリーンとの位置関係に応じて、適切な光学パラメータを持つホログラムスクリーンを作成することが困難である。特に、光学パラメータに含まれる光の反射方向が、立体映像の画質や再生像を観測できる視域に大きく影響を及ぼす。
【０００６】
そこで、実在する光学アレイ素子を仮想的な光学アレイ素子（仮想光学アレイ素子）に置き換えてホログラムデータを生成し、プロジェクタ装置からの光の入射角や観測者の想定位置を考慮した補正情報を付与し、そのホログラムデータの再生光を物体光としてホログラムスクリーンを作成すれば、再生像の歪みを抑え、任意の位置に視域を設けることが可能となる。
【０００７】
図８を参照し、実在する光学アレイ素子、又は、補正情報を付与しない仮想光学アレイ素子によりホログラムスクリーンを作製し、従来のプロジェクタ装置で光線情報を投影した場合の問題を説明する。
【０００８】
この図８では、ホログラムスクリーン９が凸型ミラーアレイに相当する機能を備えるため、凸型ミラーアレイを構成する凸型ミラー９０の一部を破線で図示した。また、図８では、光線情報を投影するプロジェクタ装置βの投影画角の範囲を一点鎖線で図示し、凸型ミラー９０による反射光の延長部分を破線で図示し、各凸型ミラー９０の主点（中心点）で反射される主光線を太線で図示した。
なお、図８では、説明を分かり易くするため、微小サイズの凸型ミラー９０を拡大して図示した。
【０００９】
図８のように、凸型ミラー９０の主点に投影された光線情報は、主光線の方向を中心として、予め設定した焦点距離に応じた画角内で反射される。このとき、観察者αはホログラムスクリーン９の正面での観察を想定することが多く、プロジェクタ装置βは斜め方向から斜投影する場合が多い。このため、ホログラムスクリーン９の位置に応じてプロジェクタ装置βへの入射角が異なる。そして、従来技術では、一律の光学パラメータを持つ凸型ミラー９０をアレイ化した凸型ミラーアレイを用いるため、主光線の方向を制御できない。その結果、観測者αに光が到達しないことや、再生像に歪みが生じることがある。
【００１０】
本願発明は、プロジェクタ装置や観測者の想定位置を考慮して、主光線の方向を制御可能なホログラムスクリーンの製造方法を提供することを課題とする。
【課題を解決するための手段】
【００１１】
前記した課題に鑑みて、本願第１発明に係るホログラムスクリーンの製造方法は、仮想光学アレイ素子を介して生成されたホログラムデータを空間光変調器で表示し、表示された前記ホログラムデータが記録された反射型のホログラムスクリーンの製造方法であって、前記ホログラムスクリーンに光線情報を投影するプロジェクタ装置からの光の入射方向又は正反射方向と、前記仮想光学アレイ素子からの主光線の方向とのなす角を設定するパラメータ設定工程と、前記なす角に基づいて、所望の位置でホログラムが再生されるように補正情報を算出する補正情報算出工程と、前記補正情報に応じた前記ホログラムデータを生成するホログラムデータ生成工程と、前記補正情報に応じた前記ホログラムデータを前記空間光変調器に表示させる表示工程と、前記ホログラムデータが記録されていないホログラムスクリーンに前記空間光変調器が前記補正情報に応じて再生する物体光を照射することで、前記ホログラムデータを記録する記録工程と、を順に実行する手順とした。
また、本願第１発明に係るホログラムスクリーンの製造方法は、前記補正情報算出工程において、前記なす角θｇと、波数ベクトルｋと、前記補正情報が表す補正角θｃと、前記仮想光学アレイ素子の中心から前記ホログラムスクリーンの各画素までの距離ｄとで定義された式（１）及び式（２）を用いて、位相情報φｐを、前記補正情報として算出する手順とした。
【００１２】
かかる手順によれば、ホログラムスクリーンの製造方法では、実際にホログラムスクリーンが使われる際のプロジェクタ装置からの光線情報の入射角を考慮して、所望の位置（例えば、観察者の想定位置）に主光線の方向を制御する補正情報を、ホログラムデータに付与する。従って、ホログラムスクリーンの製造方法では、補正情報に応じて仮想光学アレイ素子の物体光が傾けられた状態でホログラムスクリーンに照射される。
さらに、ホログラムスクリーンの製造方法では、プロジェクタ装置からの光線情報の入射角に応じた補正情報を算出できるので、主光線の方向を正確に制御でき、立体映像がより歪みにくく、視域の制限をより少なくできる。
【００１３】
なお、仮想光学アレイ素子からの主光線とは、仮想光学アレイ素子を構成する仮想要素光学素子の主点で反射された光線、又は、この主点を透過した光線のことである。
【００１４】
また、本願第２発明に係るホログラムスクリーンの製造方法は、前記表示工程において、光線再生方式（例えば、ＩＰ方式）に対応した前記ホログラムデータを前記空間光変調器に表示する手順とした。
かかる手順によれば、ホログラムスクリーンの製造方法では、ＩＰ立体映像を歪みにくく、視域の制限を少なくできる。
【００１７】
かかる構成によれば、ホログラムスクリーンは、光線情報を投影するプロジェクタ装置の入射角を考慮して、所望の位置に主光線の方向を制御する補正情報がホログラムデータに付与されている。従って、ホログラムを再生する際、補正情報に基づいて光線情報の反射方向又は透過方向を補正できるので、立体映像を歪みにくく、視域の制限を少なくできる。
【発明の効果】
【００１８】
本願発明によれば、以下のような優れた効果を奏する。
本願第１発明によれば、光線情報を投影するプロジェクタ装置の入射角を考慮した補正情報に応じて、仮想光学アレイ素子の物体光が傾けられた状態でホログラムスクリーンに照射されるので、主光線が所望の位置に透過又は反射されるように補正することができる。これにより、本願第１発明によれば、立体映像を歪みにくく、視域の制限を少なくできるので、ホログラムスクリーンの画質を向上させることができる。
さらに、本願第１発明によれば、正確な補正情報を算出するので、立体映像をより歪みにくく、視域の制限をより少なくし、ホログラムスクリーンの画質をさらに向上させることができる。
【００１９】
本願第２発明によれば、ＩＰ立体映像を歪みにくくできるので、ＩＰ方式で画質を向上させることができる。
【図面の簡単な説明】
【００２０】
【図１】本願発明の実施形態に係るホログラム記録システムの構成を示すブロック図である。
【図２】反射型のホログラムスクリーンにおけるなす角の設定を説明する説明図である。
【図３】主光線が観察者の想定位置に反射された状態を説明する説明図である。
【図４】主光線が同一方向に反射された状態を説明する説明図である。
【図５】本願発明の実施形態に係るホログラムスクリーン製造方法を示すフローチャートである。
【図６】光線情報の反射方向の補正を説明する説明図である。
【図７】透過型のホログラムスクリーンにおけるなす角の設定を説明する説明図である。
【図８】従来技術を説明する説明図である。
【発明を実施するための形態】
【００２１】
図１を参照し、本願発明の実施形態に係るホログラム記録システム１について説明する。
図１のように、ホログラム記録システム１は、ホログラムデータをホログラムスクリーン９に記録（印刷）するものであり、ホログラム記録装置１０と、ホログラムスクリーン製造装置２０とを備える。
【００２２】
ホログラムスクリーン９は、ホログラムデータを記録するものである。例えば、ホログラムスクリーン９としては、ガラス又はプラスチックの基板にフォトポリマーと感光材とを積層させたものがあげられる。本実施形態では、ホログラムスクリーン９が反射型であることとする。
【００２３】
ここで、ホログラムデータとは、ホログラムの干渉縞を表したデータである。本実施形態では、ホログラムデータは、プロジェクタ装置からの光の入射角や主光線の方向を考慮した補正情報が付与されている。
【００２４】
なお、ホログラムデータは、仮想光学アレイ素子に基づいて生成される。言い換えるなら、ホログラムデータは、仮想的な凸型ミラーアレイのミラー径、焦点距離等の光学パラメータが予め設定された状態で、一般的な計算機合成ホログラム（ＣＧＨ：Computer Generated Hologram）により生成される。
【００２５】
［ホログラム記録装置の構成］
まず、ホログラム記録装置１０の構成について説明する。
ホログラム記録装置１０は、レーザ１００と、１／２波長板１０１と、レンズ１０２，１０３と、偏光ビームスプリッタ１０４と、物体光光学系１１０と、参照光光学系１２０と、ステージ１３０とを備える。
【００２６】
レーザ１００は、レーザ光を発振するレーザ装置である。例えば、レーザ１００としては、ホログラムスクリーン９の記録方式に応じて、連続発振レーザ又はパルスレーザを発振するレーザ装置の何れかを用いることができる。
【００２７】
１／２波長板１０１は、後記する偏光ビームスプリッタ１０４で分岐されるＰ偏光及びＳ偏光のバランスを調整するために、レーザ１００からのレーザ光の偏光方向を変えるものである。
【００２８】
レンズ１０２は、例えば、１／２波長板１０１からのレーザ光のビーム径を拡大する凸レンズである。このレンズ１０２は、その機能を満たすものであれば、単レンズ又は複合レンズであってもよい（後記するレンズ１０３，１１３，１１５〜１１７も同様）。
なお、レンズ１０２で拡大されたレーザ光の光軸中心を長破線で図示し、レーザ光の両端を短破線で図示した。
【００２９】
レンズ１０３は、例えば、レンズ１０２からのレーザ光を平行光に変換する凸レンズである。
偏光ビームスプリッタ１０４は、レンズ１０３からのレーザ光を、物体光と参照光とに分岐するものである。つまり、偏光ビームスプリッタ１０４は、レンズ１０３からのレーザ光を、互いに直交するＰ偏光とＳ偏光とに分岐する。本実施形態では、偏光ビームスプリッタ１０４を透過したレーザ光を物体光（Ｐ偏光）とし、偏光ビームスプリッタ１０４で反射されたレーザ光を参照光（Ｓ偏光）とする。
【００３０】
物体光光学系１１０は、偏光ビームスプリッタ１０４を透過した物体光をホログラムスクリーン９に出射する光学系である。この物体光光学系１１０は、物体光光学系１１０からの物体光及び参照光光学系１２０からの参照光がホログラムスクリーン９の記録面上で同一位置に照射されるように配置されている。また、物体光光学系１１０は、偏光ビームスプリッタ１１１と、ＳＬＭ（空間光変調器）１１２と、レンズ１１３と、ＨＺＰ処理用マスク１１４と、レンズ１１５〜１１７とを備える。
【００３１】
偏光ビームスプリッタ１１１は、偏光ビームスプリッタ１０４からの物体光をＳＬＭ１１２に透過すると共に、ＳＬＭ１１２からの物体光をレンズ１１３に向けて反射するものである。つまり、偏光ビームスプリッタ１１１は、ＳＬＭ１１２で振幅が変調された物体光をレンズ１１３に向けて反射する。
【００３２】
ＳＬＭ１１２は、ホログラムスクリーン製造装置２０から入力されたホログラムデータを表示する振幅変調素子である。そして、ＳＬＭ１１２は、偏光ビームスプリッタ１１１からの物体光の振幅をホログラムデータに従って変調し、ホログラムデータ（干渉縞）が反映された物体光を偏光ビームスプリッタ１１１に反射する。
【００３３】
レンズ１１３は、例えば、偏光ビームスプリッタ１１１で反射された物体光をＨＺＰ処理用マスク１１４に集光する凸レンズである。
ＨＺＰ処理用マスク１１４は、妨害光を除去するＨＰＺ（ハーフゾーンプレート）処理を行うために、レンズ１１３からの物体光の半分を遮蔽するマスクである。
【００３４】
レンズ１１５は、例えば、ＨＺＰ処理用マスク１１４からの物体光を平行光に変換する凸レンズである。
レンズ１１６は、例えば、レンズ１１５からの物体光をレンズ１１７に集光する凸レンズである。
レンズ１１７は、例えば、レンズ１１６からの物体光をホログラムスクリーン９に出射する凸レンズである。
【００３５】
参照光光学系１２０は、偏光ビームスプリッタ１０４で反射された参照光をホログラムスクリーン９に出射する光学系であり、空間フィルタ１２１と、ミラー１２２，１２３とを備える。
【００３６】
空間フィルタ１２１は、偏光ビームスプリッタ１０４で反射された参照光の外周部を遮断するフィルタである。
ミラー１２２は、空間フィルタ１２１からの参照光をミラー１２３に反射するものである。
ミラー１２３は、ミラー１２２からの参照光をホログラム記録媒体９に反射するものである。
【００３７】
ステージ１３０は、ホログラムスクリーン９を搭載し、任意の位置に移動させるものである。例えば、ステージ１３０は、ホログラムデータを要素セル単位で記録する場合、搭載したホログラムスクリーン９を２軸方向に移動させてもよい。
【００３８】
以上の構成により、レーザ１００が出射したレーザ光は、１／２波長板１０１により偏光方向が調整される。そして、このレーザ光は、偏光ビームスプリッタ１０４により、物体光（Ｐ偏光）と参照光（Ｓ偏光）とに分岐される。
【００３９】
物体光（Ｐ偏光）は、偏光ビームスプリッタ１１１を透過し、ＳＬＭ１１２に入射する。このとき、ＳＬＭ１１２は、補正情報が付与されたホログラムデータを表示している。従って、ＳＬＭ１１２に入射した物体光は、ＳＬＭ１１２に表示されたホログラムデータに応じて、その振幅が変調され、Ｐ偏光としてホログラムスクリーン９に出射される。
【００４０】
また、参照光（Ｓ偏光）は、空間フィルタ１２１によって物体光と同一ビーム径まで絞られ、ミラー１２２で反射される。そして、参照光は、参照光光学系１２０を介して、ホログラムスクリーン９に出射される。このように、物体光及び参照光が共にホログラムスクリーン９の同一位置に照射され、ホログラムデータ（干渉縞）が記録される。
【００４１】
［ホログラムスクリーン製造装置の構成］
次に、ホログラムスクリーン製造装置２０の構成について説明する。
図１のように、ホログラムスクリーン製造装置２０は、ホログラムデータに補正情報を付与するものであり、パラメータ設定手段２１と、補正情報算出手段２２と、ホログラムデータ生成手段２３とを備える。
【００４２】
パラメータ設定手段２１は、補正情報の算出に必要なパラメータとして、後記するなす角θｇを設定するものである。例えば、ホログラム記録装置１０の利用者が、図示を省略したマウス、キーボード等の操作手段を用いて、パラメータをパラメータ設定手段２１に入力（設定）する。そして、パラメータ設定手段２１は、設定されたパラメータを補正情報算出手段２２に出力する。
【００４３】
図２のように、なす角θｇは、プロジェクタ装置βの正反射方向Ａと、主光線の方向Ｃとの角度を表す。すなわち、プロジェクタ装置βの正反射方向Ａは、プロジェクタ装置βからの光で仮想凸型ミラー９０の主点を通る光線が、仮想凸型ミラー９０の主点で補正されずに反射する方向である。また、主光線の方向Ｃは、仮想凸型ミラー９０の主点で反射される光線情報の方向である。
【００４４】
ここで、なす角θｇは、任意に設定できる。例えば、なす角θｇは、図３のように、主光線が観察者αの想定位置に反射されるように設定できる。また、なす角θｇは、図４のように、主光線が同一方向に反射されるように設定してもよい。
【００４５】
図１に戻り、ホログラムスクリーン製造装置２０の構成について、説明を続ける。
補正情報算出手段２２は、パラメータ設定手段２１から入力されたなす角θｇに基づいて、所望の位置でホログラムが再生されるように補正情報を算出するものである。具体的には、補正情報算出手段２２は、ｍ個の仮想凸型ミラー９０に対応する複素振幅分布毎に、（１）及び式（２）で表される位相情報φｐを補正情報として算出する（但し、ｍは２以上の整数）。
θｃ＝θｇ／２  …式（１）
φｐ＝ｋｄ・ｓｉｎθｃ  …式（２）
【００４６】
ここで、ｋが波数ベクトルであり、ｋ＝２π／λとなる。このλは、レーザ１００が出射したレーザ光の波長である。また、θｃが補正情報（補正角）である。また、ｄが、仮想凸型ミラー９０の主点から仮想凸型ミラー９０内の複素振幅分布の各画素までの距離である。
その後、補正情報算出手段２２は、算出した補正情報をホログラムデータ生成手段２３に出力する。
【００４７】
なお、利用者がなす角θgを直接入力せず、ホログラムスクリーン９に対するプロジェクタ装置βの位置と主光線の方向Ｃとをパラメータ設定手段２１に入力してもよい。この場合、補正情報算出手段２２が、入力されたプロジェクタ装置βの位置と主光線の方向Ｃとから、仮想凸型ミラー９０毎に、幾何学的になす角θgを算出してもよい。
【００４８】
ホログラムデータ生成手段２３は、補正情報に応じたホログラムデータを生成するものである。具体的には、ホログラムデータ生成手段２３は、外部から入力された仮想光学アレイ素子の複素振幅分布に、補正情報算出手段２２から入力された補正情報を加算する。そして、ホログラムデータ生成手段２３は、補正情報が加算された複素振幅分布を一般的なホログラムエンコード手法でエンコードし、補正情報に応じたホログラムデータを生成する。その後、ホログラムデータ生成手段２３は、生成したホログラムデータをＳＬＭ１１２に出力する。
なお、複素振幅分布とは、仮想光学アレイ素子の物体光の振幅及び位相を表した情報である。
【００４９】
[ホログラムスクリーンの製造方法]
図５を参照し、ホログラムスクリーン９の製造方法について説明する(適宜図１参照)。
ホログラムスクリーン製造装置２０は、パラメータ設定手段２１によって、パラメータとして、なす角θｇを設定する（ステップＳ１：パラメータ設定工程）。
【００５０】
ホログラムスクリーン製造装置２０は、補正情報算出手段２２によって、所望の位置で前記ホログラムが再生されるように補正情報（位相情報φｐ）を算出する（ステップＳ２：補正情報算出工程）。
ホログラムスクリーン製造装置２０は、ホログラムデータ生成手段２３によって、ステップＳ２の補正情報に応じたホログラムデータを生成する（ステップＳ３：ホログラムデータ生成工程）。
ホログラムスクリーン製造装置２０は、ホログラムデータ生成手段２３によって、補正情報に応じたホログラムデータをＳＬＭ１１２に出力する。すると、ＳＬＭ１１２は、入射したレーザ光を補正情報に応じた仮想光学アレイ素子の物体光の一部として反射できる状態となる（ステップＳ４：表示工程）。
【００５１】
ホログラム記録装置１０は、物体光光学系１１０を介して物体光をホログラムスクリーン９に照射し、参照光光学系１２０を介して参照光をホログラムスクリーン９に照射する。これにより、ＳＬＭ１１２に表示されたホログラムデータが、ホログラムスクリーン９に記録される（ステップ５：記録工程）。
【００５２】
なお、ステップＳ５の処理において、ホログラムデータを要素セル単位で記録する場合、ホログラムスクリーン９を搭載したステージ１３０を２軸方向に移動させつつ、ホログラムデータを順次記録すればよい。
【００５３】
［ホログラムの再生位置の補正]
図６を参照し、ホログラムの再生位置の補正について説明する。
ここでは、プロジェクタ装置βの正反射方向と、仮想凸型ミラー９０が反射する主光線の方向とが図２のなす角θｇに等しくなることとする。
【００５４】
図６のように、プロジェクタ装置βは、光線情報をホログラムスクリーン９に投影する。すると、光線情報は、ホログラムスクリーン９で反射され、ＩＰに相当する立体映像が表示される。このとき、ＳＬＭ１１２が補正情報に応じて物体光を傾けて記録しているので、光線情報が所望の位置に反射される。これにより、光線情報を観察者の想定位置に反射させたり（図３）、同一方向に反射させることができる（図４）。
なお、ホログラムスクリーンに投影する光線情報は、主光線の方向に応じて正しい運動視差を提示できるよう生成する。
【００５５】
［作用・効果］
以上のように、本願発明の実施形態に係るホログラム記録システム１は、補正情報に応じた物体光がホログラムスクリーン９に照射されるので、各要素光学素子で反射する主光線の方向を補正することができる。これにより、ホログラム記録システム１は、立体映像を歪みにくく、視域の制限を少なくできるので、ホログラムスクリーン９の画質を向上させることができる。
【００５６】
さらに、ホログラム記録システム１は、前記した式（１）及び式（２）を用いて、正確な補正情報を算出するので、立体映像をより歪みにくく、視域の制限をより少なくし、ホログラムスクリーン９の画質をさらに向上させることができる。
【００５７】
（変形例）
以上、本願発明の実施形態を詳述してきたが、本願発明は前記した実施形態に限られるものではなく、本願発明の要旨を逸脱しない範囲の設計変更等も含まれる。
【００５８】
ホログラム印刷装置の構成（例えば、光学系の構成）は、前記した実施形態に限定されない。
また、前記した実施形態では、空間光変調器が振幅変調素子であることとして説明したが、これに限定されない。例えば、空間光変調器は、位相変調素子、又は、ＤＰＨ（double phase hologram）光学系等の位相及び振幅の両方を変調できる素子としてもよい。このように、共役光や０次光等の不要光が発生しない場合、フィルタ処理用の光学系（図１のレンズ１１３，１１５及びＨＺＰ処理用マスク１１４）を省略してもよい。
【００５９】
前記した実施形態では、反射型のホログラムスクリーンの反対方向から１８０度のなす角を設けて物体光及び参照光を入射させる例で説明したが、これに限定されない。例えば、物体光及び参照光のなす角は、任意に設定可能である。
【００６０】
前記した実施形態では、ホログラムスクリーンが反射型であることとして説明したが、これに限定されない。つまり、ホログラムスクリーンは、物体光及び参照光を同方向から入射させる透過型であってもよい。この場合、パラメータ設定手段は、図７のように、プロジェクタ装置βからの光の入射方向Ｂと、仮想レンズアレイ（仮想光学アレイ素子）を構成する仮想要素レンズ（仮想要素光学素子）９１の主光線の方向Ｃとのなす角θｇを設定する。
【産業上の利用可能性】
【００６１】
本願発明は、ホログラムスクリーン及びプロジェクタ装置を用いた映像表示に関連した分野（例えば、広告又はデジタルサイネージ）で利用することができる。
【符号の説明】
【００６２】
１  ホログラム記録システム
９  ホログラムスクリーン
１０  ホログラム記録装置
１００  レーザ
１０１  １／２波長板
１０２，１０３，１１３，１１５〜１１７  レンズ
１０４，１１１  偏光ビームスプリッタ
１１０  物体光光学系
１１２  ＳＬＭ（空間光変調器）
１１４  ＨＺＰ処理用マスク
１２０  参照光光学系
１２１  空間フィルタ
１２２，１２３  ミラー
１３０  ステージ
２０  ホログラムスクリーン製造装置
２１  パラメータ設定手段
２２  補正情報算出手段
２３  ホログラムデータ生成手段
【図１】
0006614636.tif 000002
【図２】
0006614636.tif 000003
【図３】
0006614636.tif 000004
【図４】
0006614636.tif 000005
【図５】
0006614636.tif 000006
【図６】
0006614636.tif 000007
【図７】
0006614636.tif 000008
【図８】
0006614636.tif 000009